(57)【要約】【課題】取り付けによる美観の低下を抑制可能な額縁を提供する。【解決手段】額縁は、鑑賞物を縁取る枠部２０と、枠部２０の背面側に設けられて被着材に着脱自在に貼り着けられる貼着部４０と、を有する。この額縁によれば、枠部２０を被着材に直接貼り着けるので、枠部２０が被着材の表面に対して傾斜しないように取り付けられる。また、貼着部４０を繰り返し貼り着けられるので、被着材の表面を痛めずに水平方向の傾きを調整できる。これにより、取り付けによる美観の低下を抑制できる。【選択図】図３
2018075354.tif 000002
【特許請求の範囲】
【請求項１】
鑑賞物を縁取る枠部と、
前記枠部の背面側に設けられて被着材に着脱自在に貼り付けられる貼着部と、
を有することを特徴とする額縁。
【請求項２】
請求項１に記載された額縁であって、
前記貼着部は、一方の側と他方の側とで接着特性が異なる
ことを特徴とする額縁。
【請求項３】
請求項２に記載された額縁であって、
前記貼着部は、一方の側が他方の側と比較して接着特性が強力な強接着部であり、
前記強接着部が、前記枠部の背面側に貼り合わせられる
ことを特徴とする額縁。
【請求項４】
請求項３に記載された額縁であって、
前記貼着部は、他方の側が前記被着材に対して再剥離可能な着脱部である
ことを特徴とする額縁。
【請求項５】
請求項４に記載された額縁であって、
前記鑑賞物を保護するように着脱自在に設置され、全部又は一部が光を透過するように透明又は半透明である板状の保護部を有する
ことを特徴とする額縁。
【請求項６】
請求項５に記載された額縁であって、
前記鑑賞物の背面を支持する裏板部と、
前記枠部に取り付けられて前記裏板部を押さえる留具と、をさらに有する
ことを特徴とする額縁。
【請求項７】
請求項６に記載された額縁であって、
前記留具は、弾性変形可能に形成され、前記裏板部と前記枠部との間に着脱自在に嵌め込める
ことを特徴とする額縁。
【請求項８】
請求項７に記載された額縁であって、
前記固定具は、前記留具に取り付けられている
ことを特徴とする額縁。
【請求項９】
請求項７又は８に記載された額縁であって、
前記裏板部、前記枠部及び前記留具の少なくとも一つは、全部又は一部が光を透過するように透明又は半透明である
ことを特徴とする額縁。
【請求項１０】
請求項１〜９のいずれか１項に記載された額縁であって、
前記裏板部及び／又は前記枠部は、発泡合成樹脂で製造されている
ことを特徴とする額縁。
【請求項１１】
請求項１〜１０のいずれか１項に記載された額縁であって、
前記枠部は、凹凸による模様が形成されている
ことを特徴とする額縁。
【請求項１２】
請求項１に記載された額縁であって、
前記固定具は、フェライト磁石、サマリウム鉄窒素系磁石、サマリウムコバルト系磁石、ネオジム磁石、アルニコ磁石、その他の磁石から選択される少なくとも一つの磁石である
ことを特徴とする額縁。
【請求項１３】
鑑賞物を縁取る枠部と、
被着材に着脱自在に取り付けられる支持具と、
を有し、
前記枠部は、上枠の内側に溝を有し、
前記支持具は、前記被着材に取り付けられる取付部と、前記溝を構成する側壁を前記取付部との間に挟み込んで支持する支持部と、を有する
ことを特徴とする額縁。
【請求項１４】
鑑賞物を縁取る枠部と、
被着材に着脱自在に取り付けられる支持具と、
前記鑑賞物の背面を支持する裏板部と、
前記枠部に取り付けられて前記裏板部を押さえる留具と、
を有し、
前記枠部は、上枠の内側に前記留具を収納する溝を有し、
前記留具は、前記溝から突出する被挟持部を有し、
前記支持具は、前記被着材に取り付けられる取付部と、前記被挟持部を前記取付部との間に挟み込んで支持する支持部と、を有する
ことを特徴とする額縁。
【請求項１５】
鑑賞物を縁取る枠部と、
前記枠部に嵌め込まれて前記鑑賞物を支持する裏板部と、
を有し、
前記裏板部は、周縁部から盛り上がるように形成されて前記鑑賞物を支持する支持部と、前記支持部の側面から突出して前記枠部に嵌め込まれる嵌め込み部と、を有する
ことを特徴とする額縁。
【発明の詳細な説明】
【技術分野】
【０００１】
本発明は、額縁に関する。さらに詳しくは、壁等に貼り付けることができる額縁に関する。
【背景技術】
【０００２】
額縁は、絵画、写真、ポスター、賞状及びジグソーパズル等を入れるための枠である。額縁は、用途に応じて、油彩額、写真額、ポスターパネル、賞状額等がある。額縁は、木材、金属、ガラス、陶器、プラスチック、漆喰、漆等の様々な材料で形成されており、中に入れる鑑賞物を装飾するものや、保護するものなど様々な用途に用いられる。額縁は、板吊や吊カン等の吊金具が取り付けられ、これらに挿通された吊紐に吊されて、例えば壁に取り付けられた吊金具に引っかけられて飾られる。このようにして壁に飾られた額縁は、上側が手前側に傾き、美観が損なわれる場合がある。
【０００３】
こうした傾きを解消するために、額縁やケースを壁面に貼り着ける技術が知られている。特許文献１には、写真などを収納し、粘着シート材で形成された取着部により他物に貼り着けられるケースが開示されている。特許文献２には、印刷物などを収納し、窓ガラスなどに貼り着けられる表示部材が開示されている。
【先行技術文献】
【特許文献】
【０００４】
【特許文献１】特開２００１−８８０６号公報
【特許文献２】特開２０１４−１８６３０４号公報
【発明の概要】
【発明が解決しようとする課題】
【０００５】
上述した技術によれば、額縁の壁面に対する傾きを解消できるが、水平方向に対して傾いた状態で取り付けられるおそれがある。水平方向に対する傾きも、鑑賞物の美観を損なう場合がある。貼り着け位置を調整すればこの傾きを解消できるが、一度額縁を貼り着けた後に引き剥がすと、壁の表面を痛める可能性がある。また、剥離可能な接着材を使用しても、一度剥がした後は再び貼り着けられなくなる可能性がある。こうした状況において本発明者らは、美観を損なわずに取り付けるという点で、額縁には改善の余地があると考えるに至った。
【０００６】
本発明は、以上のような従来の問題点を解決するために創作されたもので、取り付けによる美観の低下を抑制可能な額縁を提供することにある。
【課題を解決するための手段】
【０００７】
本発明のある態様は、額縁である。この額縁は、鑑賞物を縁取る枠部と、枠部の背面側に設けられて被着材に着脱自在に貼り着けられる貼着部と、を有する。この態様によれば、枠部を被着材に直接貼り着けるので、被着材に取り付けた状態で、枠部が被着材の表面に対して傾斜するのを回避できる。また、貼着部を繰り返し貼り着けられるので、被着材の表面を痛めずに水平方向の傾きを調整できる。これにより、取り付けによる美観の低下を抑制できる。
【０００８】
本発明の別の態様もまた、額縁である。この額縁は、鑑賞物を縁取る枠部と、被着材に着脱自在に取り付けられる支持具と、を有する。枠部は、上枠の内側に溝を有する。支持具は、被着材に取り付けられる取付部と、溝を構成する側壁を取付部との間に挟み込んで支持する支持部と、を有する。この態様によれば、被着材の表面に対して傾斜しないように、枠部を被着材に取り付けられる。また、支持具の貼り着け位置を調整して、枠部の水平方向に対する傾斜を解消できる。さらに、枠部が支持具に着脱可能なので、鑑賞物の入れ替えを簡単に実行できる。
【０００９】
本発明のさらに別の態様もまた、額縁である。この額縁は、鑑賞物を縁取る枠部と、被着材に着脱自在に取り付けられる支持具と、鑑賞物の背面を支持する裏板部と、枠部に取り付けられて裏板部を押さえる留具と、を有する。枠部は、上枠の内側に留具を収納する溝を有する。留具は、溝から突出する被挟持部を有する。支持具は、被着材に取り付けられる取付部と、被挟持部を取付部との間に挟み込んで支持する支持部と、を有する。この態様によれば、被着材の表面および水平方向に対して傾かないように、枠部を被着材に取り付けられる。また、枠部は支持具に着脱可能なので、鑑賞物の入れ替えを簡単に実行できる。さらに、支持具の少なくとも一部を枠部の内側に収納する構成として、枠部と被着材の表面との隙間を小さくして美観を高めることができる。
【発明の効果】
【００１０】
本発明によれば、取り付けによる美観の低下を抑制可能な額縁を提供できる。
【図面の簡単な説明】
【００１１】
【図１】図１は、本発明の実施の形態１を適用した額縁１の外観図である。
【図２】図２は、額縁１を分解した状態を示した外観図である。
【図３】図３は、枠部２０の背面図である。
【図４】図４は、図３のＲ１部分を破断した状態を示す外観図である。
【図５】図５（ａ）は、枠部２０に写真Ａ１等を組み込んだ状態を示す背面図であり、図５（ｂ）は、図５（ａ）をα−α線で切断した状態を示す断面図である。
【００１２】
【図６】図６は、図５（ａ）のＲ２部分を破断して拡大した状態を示す一部拡大図である。
【図７】図７は、図５（ｂ）のＲ３部分を破断して拡大した状態を示す一部拡大断面図である。
【図８】図８は、留具６０が弾性変形する状態を示す説明図である。
【図９】図９は、本発明の実施の形態２の額縁１０１を分解した状態を示した外観図である。
【００１３】
【図１０】図１０（ａ）は、枠部１２０にジグソーパズルＡ２等を組み込んだ状態を示す背面図であり、図１０（ｂ）は、図１０（ａ）をβ−β線で切断した状態を示す断面図である。
【図１１】図１１（ａ）は、枠部２２０に写真Ａ３等を組み込んだ状態を示す背面図であり、図１１（ｂ）は、図１１（ａ）をγ−γ線で切断した状態を示す断面図である。
【図１２】図１２は、留具２６０が弾性変形する状態を示す説明図である。
【図１３】図１３は、枠部２２０に鑑賞物を組み込んだ状態を示す背面図である。
【図１４】。図１４（ａ）は、留具３６０の外観を示す説明図であり、図１４（ｂ）は、図１４（ａ）をδ−δ線で切断した状態を示す断面図である。
【００１４】
【図１５】図１５は、枠部２２０に鑑賞物を組み込んだ状態を示す背面図である。
【図１６】図１６（ａ）は、図１５をε−ε線で切断して拡大した状態を示す断面拡大図であり、図１６（ｂ）は、図１５をζ−ζ線で切断して拡大した状態を示す断面拡大図である。
【図１７】図１７は、本発明の実施の形態６の額縁５０１を分解した状態を示した図であり、実施の形態１の図２に相当する外観図である。
【図１８】図１８（ａ）は枠部５２０の正面図であり、図１８（ｂ）は枠部５２０の背面図であり、図１８（ｃ）は図１８（ａ）をη−η線で切断した状態を示す断面図である。
【図１９】図１９（ａ）は本発明の実施の形態８の額縁の背面図であり、図１９（ｂ）は図１９（ａ）をθ−θ線で切断した状態を示す断面図である。
【００１５】
【図２０】図１９（ｂ）のＲ４部分を拡大した図である。
【図２１】実施の形態８の額縁の変形例を示す部分拡大断面図である。
【図２２】図２２（ａ）は本発明の実施の形態９の額縁の背面図であり、図２２（ｂ）は図２２（ａ）をＩ−Ｉ線で切断した状態を示す断面図である。
【図２３】図２２（ｂ）のＲ５部分を拡大した図である。
【図２４】本発明の実施の形態１０の額縁を分解した状態を示す図である。
【００１６】
【図２５】図２５（ａ）は本発明の実施の形態１０の額縁の背面図であり、図２５（ｂ）は図２５（ａ）をＫ−Ｋ線で切断した状態を示す断面図である。
【図２６】図２５（ｂ）のＲ６部分を拡大した図である。
【発明を実施するための形態】
【００１７】
〔本発明の実施の形態１〕
以下、本発明の額縁１について、図面に基づいて、本発明の実施の形態１として詳細に説明する。図１は、本発明の実施の形態１を適用した額縁１の外観図である。図２は、額縁１を分解した状態を示した外観図である。図３は、枠部２０の背面図である。図４は、図３のＲ１部分を破断した状態を示す外観図である。図５（ａ）は、枠部２０に写真Ａ１等を組み込んだ状態を示す背面図であり、図５（ｂ）は、図５（ａ）をα−α線で切断した状態を示す断面図である。図６は、図５（ａ）のＲ２部分を破断して拡大した状態を示す一部拡大図である。図７は、図５（ｂ）のＲ３部分を破断して拡大した状態を示す一部拡大断面図である。図８は、留具６０が弾性変形する状態を示す説明図である。
【００１８】
図１に示すように、矢印Ｆ方向を前方向とし、その逆方向である矢印Ｂ方向を後方向として説明を行う。水平面内で前後方向と直交する一の方向である矢印Ｌ方向を左方向とし、直交する他の方向である矢印Ｒ方向を右方向として説明を行う。前後方向及び左右方向と直交する上側の方向である矢印Ｕ方向を上方向とし、下側の方向である矢印Ｄ方向を下方向として説明を行う。また、裏板部１０、写真Ａ１及び保護部５０の前方向（矢印Ｆ方向）側の面を表面として、その逆方向である後方向（矢印Ｂ方向）側の面を裏面として説明する。
【００１９】
〔額縁１〕
図１に示すように、実施の形態１の額縁１は、鑑賞物として写真Ａ１を入れて飾るための写真立てである。図２乃至図７に示すように、額縁１は、裏板部１０、枠部２０、固定具３０、保護部５０及び留具６０とから構成されている。額縁１は、図２に示すように、裏板部１０と保護部５０との間に写真Ａ１を挟んで組み立てて、図１に示すように、所定の場所に飾ることにより使用される。図１及び２に示すように、本例においては、写真Ａ
１には花が写されている。
【００２０】
〔裏板部１０〕
裏板部１０は、写真Ａ１を裏から押さえるための合成樹脂製の平板である。図２に示すように、裏板部１０は、写真Ａ１の裏面側を覆うように設置されている。裏板部１０は、写真Ａ１の外形寸法と同一に形成されており、幅が約８９ｍｍ、高さが１２７ｍｍの大きさに形成されている。
【００２１】
裏板部１０は、気孔が細かく分散されており、気孔が独立した発泡又は気孔が連続している多孔質形状に成形されている発泡体である。裏板部１０は、ポリエチレン及び発泡剤を配合した発泡合成樹脂の組成物である。裏板部１０は、枠部２０と比較して発泡倍率が大きくなるように、発泡倍率が２．０倍になるように形成されている。裏板部１０は、枠部２０と比較して発泡倍率が大きいため、枠部２０と比較して大きめの気孔が分散されて密度が低く軽くて柔らかくなっている。なお、裏板部１０は、枠部２０と比較して発泡倍率が大きくなるように、発泡倍率が１．２倍を超えるように形成されていれば良い。
【００２２】
裏板部１０は、押出成形機によりシート状に押し出されたものを切断して形成されている。裏板部１０は、具体的には以下のように形成される。まず、押出機に、ポリエチレン及び発泡剤等からなる熱可塑性樹脂組成物を充填し、それを、加熱シリンダ内で溶融し、混練された後、スクリュで押し出し、先端のダイでシート状に成形され、発泡シートを形成する。裏板部１０は、この発泡シートを所定の大きさに切断することで形成される。
【００２３】
なお、発泡シートは、ポリエチレンに限らず、ポリオレフィン系樹脂、ポリエステル系樹脂、ウレタン系樹脂、ポリアミド系樹脂又はポリイミド系樹脂から選択される少なくとも１つの熱可塑性合成樹脂を用いても良い。発泡剤は、樹脂層に均質に分散させて混合でき、組成物の溶融温度ないしはそれ以上の温度で発泡するものであれば特に限定されることなく用いられる。発泡剤のうち無機系発泡剤としては、例えば、重炭酸ナトリウム（重曹）、重炭酸アンモニウム、炭酸アンモニウム等を用いることができる。
【００２４】
発泡剤のうち有機系発泡剤としては、Ｎ，Ｎ'−ジニトロソ・ペンタメチレン・テトラミン（ＤＰＴ）、アゾジカルボンアミド（ＡＤＣＡ）、アゾビス・イソブチロニトリル、ベンゼン・スルホニル・ヒドラジド、４，４'−オキシビス（ベンゼンスルホニルヒドラジド）、トルエン・スルホニル・ヒドラジド、ｐ−トルエン・スルホニル・セミカルバジド、バリウム・アゾジカルボキシレート等を用いることができる。さらに、発泡剤としては、水、結晶水含有無機物、吸湿性樹脂（カリウムアイオノマー等）等を用いることができる。
【００２５】
〔枠部２０〕
枠部２０は、写真Ａ１を収納し支える合成樹脂製の骨組みである。枠部２０は、図２及び３に示すように、上枠２１、下枠２２、右枠２３及び左枠２４とから構成されて、写真Ａ１の周囲を縁取るように設置される。上枠２１は、図３に示すように、細長い台形形状に形成され、図５（ｂ）に示すように、断面からみると略Ｊ字形状に形成されている。下枠２２は、図３に示すように、細長い台形形状に形成され、図５に示すように、断面からみると略Ｊ字形状に形成されている。右枠２３及び左枠２４も、図３に示すように、細長い台形形状に形成され、図示していないが、断面からみると略Ｊ字形状に形成されている。上枠２１、下枠２２、右枠２３及び左枠２４とが組み合わせられると、図３に示すような、矩形形状の枠部２０となり、矩形形状の開口２０ｈが形成される。
【００２６】
開口２０ｈは、その内形寸法が写真Ａ１の外形寸法より小さく形成されている。例えば、開口２０ｈは、本例では幅８４ｍｍで高さ１２２ｍｍになるように内形寸法が形成されている。上枠２１には、図３及び４に示すように、保護部５０、写真Ａ１及び裏板部１０を載置するための平面である上枠載置部２１ｃが形成されている。上枠載置部２１ｃは、図３に示すように、上枠２１の開口２０ｈ側に形成され、図４及び５に示すように、裏側から表側にかけて低くなるように形成された段差である。
【００２７】
図３に示すように、下枠２２、右枠２３及び左枠２４にも、上枠２１と同様に開口２０ｈ側に、平面である下枠載置部２２ｃ、右枠載置部２３ｃ及び左枠載置部２４ｃが形成されている。枠部２０は、上枠載置部２１ｃ、下枠載置部２２ｃ、右枠載置部２３ｃ及び左枠載置部２４ｃが組み合わせられて、矩形形状の載置部２０ｃが形成されている。載置部２０ｃは、その内形寸法が写真Ａ１の外形寸法と同一又はやや大きくなるように形成されている。例えば、載置部２０ｃは、幅８９ｍｍで高さ１２７ｍｍになるように内形寸法が形成されている。
【００２８】
図４に示すように、上枠２１には、留具６０を収納するための上枠収納部２１ｒが形成されている。上枠収納部２１ｒは、図３に示すように、上枠２１の一方から他方にかけて細長い矩形形状に形成され、図４に示すように、上枠載置部２１ｃに隣接するように形成された溝である。図５乃至７に示すように、上枠収納部２１ｒには、留具６０の一端６２が嵌め込まれている。上枠収納部２１ｒは、その幅寸法が裏板部１０、写真Ａ１及び保護部５０とを重ね合わせた厚みよりも厚い寸法で形成されている。
【００２９】
図５（ｂ）に示すように上枠収納部２１ｒの幅寸法は、写真Ａ１及び保護部５０とを重ね合わせた厚みよりも厚い寸法で形成されている。このため、載置部２０ｃに裏板部１０、写真Ａ１及び保護部５０を載置したとき、上枠収納部２１ｒには、隙間ができる。図３に示すように、下枠２２、右枠２３及び左枠２４にも、上枠２１と同様に、平面である下枠収納部２２ｒ、右枠収納部２３ｒ及び左枠収納部２４ｒが形成されている。
【００３０】
枠部２０は、気孔が細かく分散されており、気孔が独立した発泡又は気孔が連続している多孔質形状に成形されている発泡体である。枠部２０は、ポリエチレン及び発泡剤を配合した発泡合成樹脂の組成物である。枠部２０は、裏板部１０と比較して発泡倍率が小さくなるように、発泡倍率が１．２倍になるように形成されている。
【００３１】
枠部２０は、裏板部１０と比較して発泡倍率が小さいため、裏板部１０と比較して小さめの気孔が分散されて密度が高く重くて固くなっている。枠部２０は、裏板部１０と同じように、押出成形機により押し出されたものを切断して形成されているため、詳細な説明は省略する。なお、枠部２０は、裏板部１０と比較して発泡倍率が小さくなるように、発泡倍率が１倍以上１．２倍以下になるように形成されていれば良い。枠部２０は、その表面に凹凸による模様が形成されても良い。枠部２０に形成される凹凸による模様は、押出成形機によりシート上に押し出されたものを、完全に硬化していない未硬化状態のときに所定の圧力をかけることにより形成される。
【００３２】
〔固定具３０（貼着部４０）〕
図３乃至７に示すように、枠部２０には、４枚の貼着部４０が固定具３０として取り付けられている。貼着部４０は、額縁１を壁等の被着材に貼り付けて取り付けるための板状の両面テープである。貼着部４０は、薄膜状の基部４１を本体として、その両面から接着できる矩形形状のシート状の両面テープである。図７に示すように、貼着部４０は、本体となる基部４１と、基部４１の一方の側（枠部側）に形成された強接着部４２と、基部４１の他方の側（壁等の被着材側）に形成された着脱部４３とからなる。貼着部４０は、基部４１、強接着部４２及び着脱部４３がそれぞれ合成樹脂で製造されている。貼着部４０は、強接着部４２と着脱部４３との接着特性が異なるように製造されている。
【００３３】
強接着部４２は、感圧性を有する粘着剤からなる部位であり、着脱部４３と比較して接着特性が強力である。貼着部４０は、強接着部４２が枠部２０に貼り合わせられた後には、基本的には剥がすことができない。貼着部４０は、強接着部４２を枠部２０から所定以上の力で剥がそうとすると、剥離時には凝集破壊がおきてしまい、被着材である枠部２０への糊残りがおきてしまう。
【００３４】
着脱部４３は、感圧性を有する粘着剤からなる部位であり、強接着部４２と比較して接着特性が微力である。着脱部４３は、強接着部４２が被着部である壁に貼り合わせられた後には剥がすことができ、再剥離可能である。着脱部４３は、剥離時には凝集破壊をおこさず、被着材である壁への糊残りがおきない。着脱部４３は、強接着部４２と比較すると接着特性は微力であるが、額縁１を壁へ貼り続ける接着強度を有している。また、着脱部４３は、剥離を複数回繰り返し、ほこり等が付いて粘着力が弱くなっても、水洗いで粘着力が回復することができる。
【００３５】
貼着部４０は、強接着部４２及び着脱部４３は、感圧性を有する粘着剤からなり、一方又は他方の面に使用されている両面テープであることを前提に説明した。しかし、貼着部４０は、他方の側である着脱部４３のみが感圧性を有する粘着剤である片面テープであっても良い。この場合、貼着部４０の一方の側には、固化する接着剤を塗布して、枠部２０に貼り合わせても良い。固化する接着剤としては、接着剤中に含まれる水や溶剤が蒸発して樹脂が固まる乾燥固化型の接着剤、主剤と硬化剤とが反応して固まる化学反応型の接着剤、熱を加えることによって液状になり、冷えることによって固まる熱溶融型の接着剤等が良い。
【００３６】
〔保護部５０〕
保護部５０は、写真Ａ１を汚れや傷等から保護し、写真Ａ１に光が当たることによる劣化を防ぐためのシートである。図２に示すように、保護部５０は、写真Ａ１の表面側を覆うように設置されている。保護部５０は、写真Ａ１の外形寸法と同一に形成されており、本例では、幅が約８９ｍｍ、高さが１２７ｍｍの大きさの略矩形形状の平板である。保護部５０は、射出成形により形成されており、全部又は一部が光を透過する透明又は半透明なアクリル樹脂で形成されている。
【００３７】
〔留具６０〕
図５（ａ）に示すように、枠部２０の四隅には、着脱自在の留具６０が４個取り付けられている。留具６０は、枠部２０に保護部５０、写真Ａ１及び裏板部１０を固定するための部品である。留具６０は、上枠収納部２１ｒ、下枠収納部２２ｒ、右枠収納部２３ｒ及び左枠収納部２４ｒにできる隙間に嵌め込まれる。図８（ａ）に示すように、留具６０は、弾性変形可能な合成樹脂で略Ｖ字形状に形成されている。図８（ｂ）に示すように、留具６０は、所定の力以上で押圧された押圧状態では、一端６２と他端６３とが開くように弾性変形する。図８（ｃ）に示すように、留具６０を押圧した押圧状態を解除すると留具６０は元の形状に戻る。
【００３８】
図６に示すように、留具６０は、所定の力以上で押圧して弾性変形した状態で、上枠収納部２１ｒと右枠収納部２３ｒとの間に嵌め込む。この状態で押圧状態を解除すると、留具６０は、元の形状に戻ろうとして、裏板部１０と枠部２０とを付勢する。つまり、図６及び７に示すように、突出部６１は裏板部１０を付勢し、一端６２は上枠２１を付勢し、他端６３は右枠２３を付勢する。同様に上枠収納部２１ｒと左枠収納部２４ｒとの間、下枠収納部２２ｒと右枠収納部２３ｒとの間、下枠収納部２２ｒと左枠収納部２４ｒとの間にも留具６０を嵌め込んで付勢する。このように、枠部２０の四隅に留具６０が４個嵌め込まれることで、裏板部１０、写真Ａ１及び保護部５０が留具６０に付勢されて固定される。
【００３９】
〔額縁１の使用方法〕
次に、額縁１の使用方法について図１、図６及び図７に基づいて説明する。額縁１は、４枚の貼着部４０が平らな面である被着材（例えば、壁）に貼り付けられて取り付けられる。貼着部４０は、強接着部４２が枠部２０に貼り合わせられた後には、基本的には剥がすことができない。着脱部４３は、強接着部４２が被着部である壁に貼り合わせられた後には剥がすことができ、再剥離可能である。
【００４０】
着脱部４３は、剥離時には凝集破壊をおこさず、被着材である壁への糊残りがおきない。着脱部４３は、強接着部４２と比較すると接着特性は微力であるが、額縁１を壁へ貼り続ける接着強度を有している。また、額縁１は、裏板部１０及び枠部２０とが発泡合成樹脂で製造されており、総重量が非常に軽いため、壁に長期間飾っていても、壁から剥がれ落ちることがない。さらに、壁に飾られた額縁１は、手前側に傾くことなく、壁に対して平行に取り付けることができる。
【００４１】
〔本発明の実施の形態２〕
次に、本発明の実施の形態２を図面に基づいて詳細に説明する。なお、この実施の形態２の額縁１０１は、前述した実施の形態１の額縁１とほぼ同様の構成であり、異なる構成の部分のみ説明をする。図９は、本発明の実施の形態２の額縁１０１を分解した状態を示した図であり、実施の形態１の図２に相当する外観図である。図１０（ａ）は、枠部１２０にジグソーパズルＡ２等を組み込んだ状態を示す背面図であり、図１０（ｂ）は、図１
０（ａ）をβ−β線で切断した状態を示す断面図である。
【００４２】
〔ジグソーパズルＡ２〕
まず、額縁１０１は、額縁１と比較して、鑑賞物として入れて飾る物が光が透過する透明又は半透明な合成樹脂で製造されたジグソーパズルＡ２である点が異なる。図９及び１０に示すように、組み合わされたジグソーパズルＡ２には蝶と花が印刷されている。図示していないが、ジグソーパズルＡ２は、透明素材である２枚の硬質シートに透明素材である１枚の軟質シートが挟まれた積層構造に形成されている。硬質シートは、ポリプロピレンで形成され、軟質シートは、主成分がポリプロピレンで従成分がオレフィン型熱可塑性エラストマーで形成されている。
【００４３】
なお、硬質シートは、ポリプロピレン以外のものでも良く、例えば、ポリ塩化ビニル、ポリエチレン、ポリスチレン及びポリエチレンテレフタラートから選択される一種以上の熱可塑性合成樹脂であっても良い。また、軟質シートの主成分は、ポリプロピレン以外のものでも良く、ポリ塩化ビニル、ポリエチレン、ポリスチレン及びポリエチレンテレフタラートから選択される一種以上の熱可塑性合成樹脂であっても良い。また、軟質シートの従成分は、オレフィン系熱可塑性エラストマー以外のものでも良く、スチレン系熱可塑性エラストマー及びポリエステル系熱可塑性エラストマーから選択される一種以上の熱可塑性エラストマーであっても良い。
【００４４】
〔裏板部１１０〕
額縁１０１は、額縁１と比較して、裏板部１１０が発泡合成樹脂ではない点が異なる。図９及び１０に示すように、裏板部１１０は、ジグソーパズルＡ２の裏面側を覆うように設置されている。裏板部１１０は、ジグソーパズルＡ２の外形寸法と同一に形成されている。裏板部１１０は、固定具３０と同様に全部又は一部が光を透過する透明又は半透明のアクリル樹脂で形成されている。図１０に示すように、裏板部１１０は、枠部１２０と面一になるように設置される。
【００４５】
〔枠部１２０〕
枠部１２０は、ジグソーパズルＡ２を収納し支える骨組みであり、図９及び１０に示すように、上枠１２１、下枠１２２、右枠１２３及び左枠１２４とから構成されている。上枠１２１は、図１０に示すように、細長い台形形状に形成され、図５に示すように、断面からみると略Ｌ字形状に形成されている。下枠１２２、右枠１２３及び左枠１２４も、図１０に示すように、細長い台形形状に形成され、図示していないが、断面からみると略Ｌ字形状に形成されている。上枠１２１、下枠１２２、右枠１２３及び左枠１２４とが組み合わせられると、図３に示すような、矩形形状の枠部１２０となり、矩形形状の開口１２０ｈが形成される。
【００４６】
開口１２０ｈは、その内形寸法がジグソーパズルＡ２の外形寸法より小さく形成されている。上枠１２１、下枠１２２、右枠１２３及び左枠１２４には、図９及び１０に示すように、裏板部１１０、ジグソーパズルＡ２及び保護部１５０を載置するための平面である上枠載置部１２１ｃ、下枠載置部１２２ｃ、右枠載置部１２３ｃ及び左枠載置部１２４ｃが形成されている。上枠載置部１２１ｃ、下枠載置部１２２ｃ、右枠載置部１２３ｃ及び左枠載置部１２４ｃは、実施の形態１の上枠載置部２１ｃ、下枠載置部２２ｃ、右枠載置部２３ｃ及び左枠載置部２４ｃとほぼ同様の構成であるため、詳細な説明は省略する。
【００４７】
載置部１２０ｃは、その内形寸法がジグソーパズルＡ２の外形寸法と同一又はやや大きくなるように形成されている。枠部１２０は、載置部１２０ｃに裏板部１１０、ジグソーパズルＡ２及び保護部１５０を載置したときに、裏板部１１０の裏面と枠部１２０の裏面とが面一になるように形成されている。
【００４８】
〔固定具１３０（貼着部１４０）〕
図９乃至１０に示すように、裏板部１１０には、２枚の貼着部１４０が固定具１３０として取り付けられている。貼着部１４０は、額縁１０１を壁等の被着材に貼り付けて取り付けるための板状の両面テープである。貼着部１４０は、薄膜状の基部１４１を本体として、その両面から接着できる矩形形状のシート状の両面テープである。図１０に示すように、貼着部１４０は、本体となる基部１４１と、基部１４１の一方の側（枠部側）に形成された強接着部１４２と、基部１４１の他方の側（壁等の被着材側）に形成された着脱部
１４３とからなる。
【００４９】
貼着部１４０は、基部１４１、強接着部１４２及び着脱部１４３がそれぞれ全部又は一部が光を透過する透明又は半透明な合成樹脂で製造されている。貼着部１４０は、強接着部１４２と着脱部１４３との接着特性が異なるように製造されている。強接着部１４２と着脱部１４３とは、前述した実施の形態１の強接着部４２と着脱部４３とほぼ同様の構成であるため、詳細な説明は省略する。
【００５０】
〔留具１６０〕
図１０に示すように、上枠１２１には、留具１６０が２個取り付けられている。留具１６０は、上枠１２１に裏板部１１０、ジグソーパズルＡ２及び保護部１５０を固定するための部品である。留具１６０は、全部又は一部が光を透過する透明又は半透明なアクリル樹脂で形成されている。留具１６０は、上枠１２１に例えばネジ止めして固定され、回転させることで裏板部１１０、ジグソーパズルＡ２及び保護部１５０の着脱をすることができる。下枠１２２、右枠１２３及び左枠１２４にも同様に留具１６０が２個ずつ取り付けられている。
【００５１】
〔保護部１５０〕
保護部１５０は、ジグソーパズルＡ２を汚れや傷等から保護し、ジグソーパズルＡ２に光が当たることによる劣化を防ぐためのシートである。図２に示すように、保護部１５０は、ジグソーパズルＡ２の表面側を覆うように設置されている。保護部１５０は、ジグソーパズルＡ２の外形寸法と同一に形成されている。保護部１５０は、射出成形により形成されており、全部又は一部が光を透過する透明又は半透明なアクリル樹脂で形成されている。
【００５２】
〔額縁１０１の使用方法〕
次に、額縁１０１の使用方法について図１０に基づいて説明する。額縁１０１は、２枚の貼着部１４０が平らな面である被着材（例えば、窓）に貼り付けられて取り付けられる。貼着部１４０は、強接着部１４２が裏板部１１０に貼り合わせられた後には、基本的には剥がすことができない。着脱部１４３は、強接着部１４２が被着部である窓に貼り合わせられた後には剥がすことができ、再剥離可能である。着脱部１４３は、剥離時には凝集破壊をおこさず、被着材である窓への糊残りがおきない。
【００５３】
着脱部１４３は、強接着部１４２と比較すると接着特性は微力であるが、額縁１０１を窓へ貼り続ける接着強度を有している。また、額縁１０１は、枠部１２０とが発泡合成樹脂で製造されており、総重量が非常に軽いため、壁に長期間飾っていても、壁から剥がれ落ちることがない。額縁１０１は、裏板部１１０、保護部１５０、貼着部１４０及び留具
１６０が光を透過するように透明又は半透明である。
【００５４】
つまり、額縁１０１は、ジグソーパズルＡ２を支持するため部品や、窓に貼り付けるための部品がすべて光を透過する。このため、ジグソーパズルＡ２は、額縁１０１に入れられた状態でも、光が遮られることなく飾ることができる。額縁１０１に入れられたジグソーパズルＡ２は、窓等のガラスに貼りつけられると、全体が光を透過するため、見た目が美しい。さらに、窓に飾られた額縁１０１は、手前側に傾くことなく、窓に対して平行に取り付けることができる。
【００５５】
〔本発明の実施の形態３〕
次に、本発明の実施の形態３を図面に基づいて詳細に説明する。なお、この実施の形態３の額縁２０１は、前述した実施の形態１の額縁１とほぼ同様の構成であり、異なる構成の部分のみ説明をする。図１１（ａ）は、枠部２２０に写真Ａ３等を組み込んだ状態を示す背面図であり、図１１（ｂ）は、図１１（ａ）をγ−γ線で切断した状態を示す断面図である。図１２は、留具２６０が弾性変形する状態を示す説明図である。
【００５６】
図１１（ａ）に示すように、枠部２２０には、留具２６０が４個取り付けられている。留具２６０は、枠部２２０に保護部２５０、写真Ａ３及び裏板部２１０を固定するための部品である。留具２６０は、全部又は一部が光を透過する透明又は半透明なアクリル樹脂で形成されている。留具２６０は、上枠収納部２２１ｒ、下枠収納部２２２ｒ、右枠収納部２２３ｒ及び左枠収納部２２４ｒにできる隙間に嵌め込まれる。図１１（ａ）に示すように、留具２６０は矩形形状であり、図１１（ｂ）及び図１２（ａ）に示すように、留具
２６０は弾性変形可能な合成樹脂で略コ字形状に形成されている。
【００５７】
図１２（ａ）に示すように、留具２６０は、本体部２６１、第一被挟持部２６２及び第二被挟持部２６３とから構成されている。本体部２６１は、矩形形状に形成され、一方の端部から第一被挟持部２６２が突出するように形成され、他方の端部から第二被挟持部２６３が突出するよう形成されている。第一被挟持部２６２は、矩形形状に形成され、吊紐を通すことができるように貫通した貫通孔２６０ｈが形成されている。第二被挟持部２６
３は、矩形形状に形成されている。
【００５８】
図１２（ｂ）に示すように、留具２６０は、所定の力以上で押圧された押圧状態では、第一被挟持部２６２と第二被挟持部２６３とが近づくように弾性変形する。図１２（ｃ）に示すように、留具２６０を押圧した押圧状態を解除すると留具２６０は元の形状に戻る。図１１（ｂ）に示すように、留具２６０は、所定の力以上で押圧して弾性変形した状態で、上枠収納部２２１の隙間に嵌め込む。この状態で押圧状態を解除すると、留具２６０は、元の形状に戻ろうとして、裏板部２１０と枠部２２０とを付勢する。
【００５９】
つまり、図１１（ｂ）に示すように、本体部２６１は上枠収納部２２１ｒに収納され、第一被挟持部２６２は裏板部２１０を付勢し、第二被挟持部２６３は上枠２２３を付勢する。同様に、下枠収納部２２２ｒの隙間、左枠収納部２２４ｒの隙間、右枠収納部２２３ｒの隙間にも留具２６０を嵌め込んで付勢する。このように、枠部２２０の隙間に留具２６０が４個嵌め込まれることで、裏板部２１０、写真Ａ３及び保護部２５０が留具２６０に付勢されて固定される。
【００６０】
額縁２０１は、４枚の貼着部２４０が平らな面である被着材（例えば、壁）に貼り付けられて取り付けられる。額縁２０１は、貼り付けられる他に、留具２６０に形成された貫通孔２６０ｈに挿通された吊紐に吊されて、例えば壁に取り付けられた吊金具に引っかけられて飾られる。このようにして壁に飾られた額縁２０１は、被着材（例えば壁）に貼り付けられるだけではなく、吊紐で吊されているので、壁から落ちてしまうことがなく、より安全に飾ることができる。
【００６１】
〔本発明の実施の形態４〕
次に、本発明の実施の形態４を図面に基づいて詳細に説明する。なお、この実施の形態４の額縁３０１は、前述した実施の形態１の額縁１とほぼ同様の構成であるが、固定具３
３０が留具３６０に取り付けられている点が異なるので、この部分のみ説明をする。図１
３は、枠部２２０に鑑賞物を組み込んだ状態を示す背面図である。図１４（ａ）は、留具３６０の外観を示す説明図であり、図１４（ｂ）は、図１４（ａ）をδ−δ線で切断した状態を示す断面図である。
【００６２】
〔留具３６０〕
図１３に示すように、枠部３２０の四隅には、着脱自在の留具３６０が４個取り付けられている。留具３６０は、枠部３２０に保護部３５０、鑑賞物及び裏板部３１０を固定するための部品である。留具３６０は、上枠収納部３２１ｒ、下枠収納部３２２ｒ、右枠収納部３２３ｒ及び左枠収納部３２４ｒにできる隙間に嵌め込まれる。図１３に示すように、留具３６０は、弾性変形可能な透明又は半透明である合成樹脂で形成されている。
【００６３】
留具３６０は、図１３に示すように、正面から観察すると略三角形に形成され、図１４（ｂ）に示すように、断面から観察すると略Ｈ字形状に形成されている。留具３６０は、支持部３６１、上留具３６２及び下留具３６３とから構成されている。支持部３６１は、上留具３６２と下留具３６３との間に所定の間隔を開けて平行に支持するための部材である。上留具３６２は、支持部３６１の一端に取り付けられており、略三角形の板状に形成されている。上留具３６２の表面には、固定具３３０として貼着部３４０が取り付けられている。
【００６４】
下留具３６３は、支持部３６１の他端に取り付けられており、略三角形の板状に形成されている。下留具３６３は、例えば、枠部３２０に保護部３５０、鑑賞物及び裏板部３１０が載置された状態で、上枠収納部３２１ｒ及び右枠収納部３２３ｒにできる隙間に嵌め込むことができる厚みである。下留具は、同様に上枠収納部３２１ｒと左枠収納部３２４ｒとの隙間、下枠収納部３２２ｒと右枠収納部３２３ｒとの隙間、下枠収納部３２２ｒと左枠収納部３２４ｒとの隙間にも嵌め込むことができる。このように、枠部３２０の四隅に留具３６０が４個嵌め込まれることで、裏板部３１０、鑑賞物及び保護部３５０が固定される。
【００６５】
〔固定具３３０（貼着部３４０）〕
図１４（ａ）及び図１４（ｂ）に示すように、上留具３６２には、貼着部３４０が固定具３３０として取り付けられている。貼着部３４０は、上留具３６２の形状にあわせて同一又は略同一の三角形に形成されている。貼着部３４０は、額縁３０１を壁等の被着材に貼り付けて取り付けるための板状の両面テープである。貼着部３４０は、薄膜状の基部３４１を本体として、その両面から接着できる矩形形状のシート状の両面テープである。図１４（ｂ）に示すように、貼着部３４０は、本体となる基部３４１と、基部３４１の一方の側（上留具３６２側）に形成された強接着部３４２と、基部３４１の他方の側（壁等の被着材側）に形成された着脱部３４３とからなる。
【００６６】
貼着部３４０は、基部３４１、強接着部３４２及び着脱部３４３がそれぞれ全部又は一部が光を透過する透明又は半透明な合成樹脂で製造されている。貼着部３４０は、強接着部３４２と着脱部３４３との接着特性が異なるように製造されている。強接着部３４２と着脱部３４３とは、前述した実施の形態１の強接着部４２と着脱部４３とほぼ同様の構成であるため、詳細な説明は省略する。
【００６７】
貼着部３４０は、裏板部３１０や枠部３２０に直接取り付けられておらず、着脱自在の留具３６０に取り付けられている。このため、裏板部３１０や枠部３２０に謝って貼着部３４０を貼り合わせてしまうことが無くなる。また、着脱部３４３の粘着力が弱くなったとき、留具３６０を取り外して水洗いが容易にすることができる。さらに、着脱部３４３の粘着力が弱くなったとき、留具３６０ごと交換することが可能である。
【００６８】
〔本発明の実施の形態５〕
次に、本発明の実施の形態５を図面に基づいて詳細に説明する。なお、この実施の形態５の額縁４０１は、前述した実施の形態１の額縁１とほぼ同様の構成であり、異なる構成の部分のみ説明をする。図１５は、枠部２２０に鑑賞物を組み込んだ状態を示す背面図である。図１６（ａ）は、図１５をε−ε線で切断して拡大した状態を示す断面拡大図であり、図１６（ｂ）は、図１５をζ−ζ線で切断して拡大した状態を示す断面拡大図である。
【００６９】
図１５に示すように、枠部４２０は、枠部２０とほぼ同様の構成であるが、裏面に凹凸が形成されている。図１６ａに示すように、右枠４２３は、裏面が断面視で所定の円弧の面に形成されている。図１６ｂに示すように、右枠４２３は、裏面が断面視で所定の円弧の面が並べられて形成されている。右枠４２３の円弧の面は、押出成形機によりシート上に押し出されたものを、完全に硬化していない未硬化状態のときに所定の圧力をかけることにより形成されている。図１６（ａ）及び（ｂ）に示すように、右枠４２３の円弧の面には、それぞれ、貼着部４４０が固定具４３０として取り付けられている。
【００７０】
額縁４０１は、貼着部４４０が平らな面である被着材（例えば、壁）に貼り付けられて取り付けられる。着脱部４４３は、強接着部４４２が被着部である壁に貼り合わせられた後には剥がすことができ、再剥離可能である。図１６（ａ）及び図１６（ｂ）に示すように、着脱部４４３は、貼着部４４０が右枠４２３の円弧の面に貼り合わせられているため、円弧の面になる。着脱部４４３は、円弧の面になっているため、その外周の部分が平らな面である被着材には貼り合わせることができず、全体が貼り合わせられていない。このため、額縁４０１は、額縁１と比較して容易に剥離することができる。上枠４２１、下枠４２２及び左枠４２４にも、右枠４２３と同様に円弧の面が形成されている。なお、枠部４２０の裏面には円弧の面が形成されているが、例えば、断面視で所定の角度、所定の寸法の傾斜又は放物線等の面が形成されていても良い。
【００７１】
〔本発明の実施の形態６〕
次に、本発明の実施の形態６を図面に基づいて詳細に説明する。なお、この実施の形態６の額縁５０１は、前述した実施の形態１の額縁１とほぼ同様の構成であり、異なる構成の部分のみ説明をする。図１７は、本発明の実施の形態６の額縁５０１を分解した状態を示した図であり、実施の形態１の図２に相当する外観図である。図１８（ａ）は枠部５２０の正面図であり、図１８（ｂ）は枠部５２０の背面図であり、図１８（ｃ）は図１８（ａ）をη−η線で切断した状態を示す断面図である。上枠５２１、下枠５２２、右枠５２３及び左枠５２４には、上枠貫通部５２１ｃ、下枠溝部５２２ｃ、右枠溝部５２３ｃ及び左枠溝部５２４ｃが形成されている。
【００７２】
図１７及び図１８に示すように、上枠貫通部５２１ｃは、上枠５２１の上方向側から上枠５２１の下方向側に貫通するように形成された貫通孔である。上枠貫通部５２１ｃは、右枠溝部５２３ｃ及び左枠溝部５２４ｃに連なる貫通孔であり、裏板部５１０、ジグソーパズルＡ４及び保護部５５０を挿通させることができる。下枠溝部５２２ｃ、右枠溝部５２３ｃ及び左枠溝部５２４ｃは、下枠５２２、右枠５２３及び左枠５２４に形成された溝である。
【００７３】
上枠５２１、下枠５２２、右枠５２３及び左枠５２４とが組み合わせられると、図１８（ａ）に示すように、矩形形状の枠部５２０となり、表側に矩形形状の表側開口５２０ａが形成され、図１８（ｂ）に示すように、裏側に矩形形状の裏側開口５２０ｂが形成される。表側開口５２０ａ及び裏側開口５２０ｂは、その内形寸法がジグソーパズルＡ４の外形寸法より小さく形成されている。枠部５２０は、組み合わせられると、図１８（ａ）乃至図１８（ｃ）に示すように、上枠貫通部５２１ｃ、下枠溝部５２２ｃ、右枠溝部５２３ｃ及び左枠溝部５２４ｃが組み合わせられて、矩形形状の収納部５２０ｃが形成されている。収納部５２０ｃは、その幅寸法がジグソーパズルＡ４の幅寸法と同一又は略同一に形成されている。
【００７４】
図１７に示すように、裏板部５１０、ジグソーパズルＡ４及び保護部５５０は、収納部
５２０ｃに収納される。つまり、裏板部５１０、ジグソーパズルＡ４及び保護部５５０は、上枠貫通部５２１ｈに挿通されると、左枠溝部５２４ｃ及び右枠溝部５２３ｃに案内されスライド移動して、下枠溝部５２２ｃに載置される。額縁５０１は、４枚の貼着部５４０が平らな面である被着材（例えば、壁や窓）に貼り付けられて取り付けられる。
【００７５】
〔本発明の実施の形態７〕
次に、本発明の実施の形態７を図面に基づいて詳細に説明する。なお、この実施の形態７の額縁は、前述した実施の形態１の額縁１とほぼ同様の構成であるので、異なる構成である取付磁石についてのみ説明をする。上枠及び下枠には、それぞれ固定具として取付磁石が取り付けられている。取付磁石は、額縁を鉄等で形成された壁に取り付けるためのフェライト磁石である。取付磁石は、上枠及び下枠の裏面に面一になるように、上枠及び下枠に２つずつ埋め込まれている。上枠及び下枠には、取付磁石を埋め込むための埋込穴が形成されている。
【００７６】
埋込穴は、その内形寸法が取付磁石の外形寸法と同一になるように形成されている。埋込穴は、押出成形後の軟質な状態の時に型に押し当てられて形成されている。取付磁石に使用する磁石は、フェライト磁石以外の磁石でも良く、例えば、サマリウム鉄窒素系磁石、サマリウムコバルト系磁石、ネオジム磁石、アルニコ磁石、その他の磁石から選択される少なくとも一つの磁石であれば良い。
【００７７】
額縁は、裏板部と枠部とが発泡体で形成されているため、アルミニウムや木等で形成されたものに比べて非常に軽く、取付磁石の磁力で鉄等で形成された壁に取り付けることができる。また、額縁は、紐で吊られることなく壁に取り付けることができるので、前向きに傾くことがない。さらに、額縁は、紐で吊られることなく壁に取り付けられているので、装飾シート以外のものが目にとまらないため、装飾シートの鑑賞に集中することができる。
【００７８】
本例において、額縁は、取付磁石が上枠と下枠に２つずつ埋め込まれている。しかし、取付磁石は、枠部のいずれかに埋め込まれていれば良いし、数も２つに限らず１つでも複数でも良い。例えば、額縁は、上枠に１つだけ取付磁石を埋め込まれても良いことはいうまでもない。また、取付磁石は、裏板部に埋め込まれても良い。
【００７９】
〔本発明の実施の形態８〕
実施の形態８に係る額縁６０１は、枠部２０に固定具３０が設けられておらず、壁面に取り付けられて枠部２０を支持する支持具６１０を備える点で、実施の形態１の額縁１と異なる。図１９（ａ）は、本発明の実施の形態８の額縁６０１の背面図である。図１９（ｂ）は、図１９（ａ）のθ−θ線で切断した断面図である。図２０は、図１９（ｂ）のＲ４部分を拡大した図である。
【００８０】
支持具６１０は、平板状の取付部６１２と、Ｌ字状の支持部６１４とを備え、側面から見て鈎型状に形成されている。取付部６１２は、背面に設けられた貼着部６２０により壁面に取り付けられる。貼着部６２０は、実施の形態１の貼着部４０と同様の構造を備え、強接着部４２が取付部６１２に貼り着けられている。支持部６１４には、上枠２１が載せられる。上枠２１には溝として上枠収納部２１ｒが形成されており、溝の背面側の側壁２５が取付部６１２と支持部６１４との間に嵌り込む。支持部６１４は、取付部６１２との間で側壁２５を挟み込んで保持する。支持部６１４の取付部６１２とは反対側の端部は、裏板部１０と側壁２５との間に嵌り込み、上枠収納部２１ｒに挿入される。この状態で、上枠２１の背面が取付部６１２の前面に押さえ付けられ、枠部２０が壁面に対して平行に支持される。
【００８１】
実施の形態８に係る額縁６０１によれば、壁面に取り付けた支持具６１０に上枠２１を載せるだけで、壁面に沿って取り付けられる。支持具６１０は壁面に対して脱着可能であり、貼り着ける位置を調整できる。これにより、枠部２０の水平方向の傾きを調整できる。また、支持具６１０から枠部２０を簡単に取り外せるので、容易に鑑賞物を入れ替えられる。なお、図２１に示すように、上枠２１の背面側に、支持具６１０の取付部６１２を収納する収納溝２６を形成してもよい。取付部６１２を収納溝２６に入れられるので、枠部２０と壁面との隙間を小さくできる。
【００８２】
〔本発明の実施の形態９〕
実施の形態９に係る額縁７０１は、枠部２２０に固定具２３０が設けられておらず、壁面に取り付けられて枠部２２０を支持する支持具７１０を備える点で、実施の形態３の額縁２０１と異なる。図２２（ａ）は、本発明の実施の形態９の額縁７０１の背面図である。図２２（ｂ）は、図２２（ａ）のＩ−Ｉ線で切断した断面図である。図２３は、図２２（ｂ）のＲ５部分を拡大した図である。
【００８３】
支持具７１０は、実施の形態９の支持具６１０と同様の構成を備え、取付部７１２と、支持部７１４とを備える。取付部７１２は、背面に設けられた貼着部７２０により壁面に取り付けられる。貼着部７２０は、実施の形態１の貼着部４０と同様の構造を備える。支持部７１４には、留具２６０が載せられる。留具２６０は、上枠２１に溝として形成されている上枠収納部２１ｒから下方に突出する第２被挟持部２６３が、取付部７１２と支持部７１４との間に嵌り込んで保持される。支持部７１４の取付部７１２とは反対側の端部は、第１被挟持部２６２と第２被挟持部２６３との間に挿入される。支持具７１０は、上枠２１を支持した状態で、枠部２０の内側に収納される。枠部２０は、背面側が壁面に接して壁面に対して平行に支持される。
【００８４】
実施の形態９に係る額縁７０１によれば、壁面に取り付けた支持具７１０に留具２６０を載せるだけで、壁面に沿って取り付けられる。また、実施の形態８と同様に、水平方向の傾きの調整や、鑑賞物の入れ替えを簡単に実行できる。さらに、支持具７１０が枠部２０の内側に収納されるので、枠部と壁面との隙間を小さくできる。
【００８５】
〔本発明の実施の形態１０〕
図２４は、本発明の実施の形態１０の額縁８０１を分解した状態を示す図である。額縁８０１は、保護部１５０、枠部８２０、裏板部８６０を備える。額縁８０１には、鑑賞物として例えばジグソーパズルＡ２が入れられる。枠部８２０は、それぞれ樹脂材料により形成される上枠８２１、下枠８２２、右枠８２３、および左枠８２４から構成される。各枠に囲まれて形成される開口８２０ａの幅および高さは、それぞれ保護部１５０の外形寸法以下とする。裏板部８６０は、枠部８２０の背面側に嵌め込まれ、保護部１５０およびジグソーパズルＡ２を裏側から支える。裏板部８６０は、透明な樹脂材料によりシート状に形成され、周縁部８６２および支持部８６４を備える。支持部８６４は、外形が開口８２０ａとほぼ同一の矩形状に周縁部８６２から盛り上がるよう形成されている。支持部８６４の側面には、枠部８２０に嵌め込まれる嵌め込み部８６６が複数形成されている。また、支持部８６４には、背面側に窪む複数の溝８６８が形成されている。複数の溝８６８は、上下または左右に延びて交差し、支持部８６４が歪むのを抑制して表面を平らな状態に保つ。
【００８６】
図２５（ａ）は額縁８０１の背面図、図２５（ｂ）は図２５（ａ）のＫ−Ｋ線で切断した断面図である。図２６は、図２５（ｂ）のＲ６部分を拡大した図である。枠部８２０の背面には、額縁８０１を壁面に取り付けるための貼着部８３０が設けられている。貼着部８３０は、実施の形態１の貼着部４０と同様の構造を備える。
【００８７】
枠部８２０は、載置部８２６、段差部８２７、傾斜溝部８２８を備える。載置部８２６は、保護部１５０およびジグソーパズルＡ２が載せられ、裏板部８６０の支持部８６４との間でこれらを挟み込んで支持する。段差部８２７は、枠部８２０背面の内周側に形成され、枠部８２０に嵌め込まれる裏板部８６０の周縁部８６２を収納する。傾斜溝部８２８は、段差部８２７の端部から載置部８２６に延びながら枠部８２０の外側に向かって傾斜する傾斜面を含んで構成され、裏板部８６０の嵌め込み部８６６が嵌め込まれる。嵌め込み部８６６は、支持部８６４の表面から外側に突出するとともに、周縁部８６２に向かって傾斜溝部８２８と同じ角度で傾斜するよう形成されている。嵌め込み部８６６が傾斜溝部８２８に嵌め込まれると、裏板部８６０が枠部８２０に保持された状態となる。この状態で、保護部１５０およびジグソーパズルＡ２が、枠部８２０と裏板部８６０との間で固定される。
【００８８】
実施の形態１０に係る額縁８０１によれば、枠部８２０に嵌め込まれる裏板部８６０が保護部１５０およびジグソーパズルＡ２を支持するので、留め具が不要となり簡単な構成とすることができる。また、裏板部８６０の周縁部８６２は段差部８２７に収納されるので、枠部８２０の背面を壁面に沿って隙間なく取り付けることができる。
【００８９】
以上、本発明の種々の実施の形態を説明したが、本発明は、この実施の形態に限定されることはない。本発明の目的、趣旨を逸脱しない範囲内での変更が可能なことはいうまでもない。本例において、額縁１、１０１、２０１、３０１、４０１、５０１、６０１、７０１、８０１は、いわゆる写真立て及びジグソーパズル用パネルで説明をした。しかし、他の鑑賞物を入れるものであっても良いことはいうまでもない。例えば、絵画の額油彩額、仮縁、デッサン額、和額、色紙額、短冊額、賞状額、証書額、叙勲額、叙位額、褒章額、ポスターパネル及び手ぬぐい額等であっても良い。また、本発明の構成を、鏡、時計、フォトフレーム等に用いても良いことはいうまでもない。
【００９０】
枠部２０は、発泡された合成樹脂製のもので説明したが、他の部材であっても良く、例えば、押出成形されたアルミニウムを使用しても良い。また、枠部２０は、木や金属等の部材であっても良い。枠部２０には、凹凸による模様が形成されていても良い。貼着部４０は、固定具３０として枠部２０に４枚取り付けられているが、使用者の好みや粘着力に応じて一枚又は複数枚取り付けても良い。着脱部４３は、再剥離可能であれば、粘着剤に限らず、マイクロ吸盤層でも良い。
【００９１】
マイクロ吸盤層は、所定の大きさの直径（例えば、０μｍより大きく３００μｍ以下の直径）の凹状穴を無数に有するとともに、所定の厚さ（例えば、０μｍより大きく３００ μｍ以下の厚さ）に形成された柔軟な吸着性発泡層である。マイクロ吸盤層の無数の微細な凹状穴は、その径より大きな径を持つ内部の気泡に連続し、内部の気泡は他の気泡と細径管にて連続した構造を有する。マイクロ吸盤層面上の凹状穴は必ずしも真円ではなく、凹状穴は、例えば長径が３００μｍ以下（主として１００μｍ以下）で、平均的には５〜５０μｍの凹状穴が個数で９５％を占め、発泡倍率に依存するものの、通常、単位面積あたり所定の個数（例えば、１〜９万個／ｃｍ２）形成されているものである。
【００９２】
マイクロ吸盤層の吸引力は、この微細で柔軟な凹状穴により発生するもので、凹状穴が通気性のない被貼着面に圧着されると、凹状穴と被貼着面によって形成される密閉空間が減圧状態となることにより発生する力である。マイクロ吸盤層を被貼着面に押し付けると、この押し付けによって発泡合成樹脂層が弾性圧縮状態となり、これが弾性的に復元しようとするときに、凹状穴による吸盤作用が働くものである。
【符号の説明】
【００９３】
１、１０１、２０１、３０１、４０１、５０１、６０１、７０１  額縁、  １０、１１０、２１０、３１０、５１０  裏板部、  ２０、１２０、２２０、３２０、５２０  枠部、  ２５  側壁、  ３０、１３０、３３０、４３０  固定具、  ４０、１４０、２４０、３４０、４４０、５４０  貼着部、  ４２、１４２、３４２、４４２  強接着部、  ４３、１４３、３４３、４４３  着脱部、  ５０、１５０、２５０、３５０、５５０  保護部、  ６０、１６０、２６０、３６０  留具、  ６１０、７１０  支持具、  ６１２、７１２  取付部、  ６１４、７１４  支持部  Ａ１、Ａ２、Ａ３、Ａ４  鑑賞物。
【図１】
2018075354.tif 000003
【図２】
2018075354.tif 000004
【図３】
2018075354.tif 000005
【図４】
2018075354.tif 000006
【図５】
2018075354.tif 000007
【図６】
2018075354.tif 000008
【図７】
2018075354.tif 000009
【図８】
2018075354.tif 000010
【図９】
2018075354.tif 000011
【図１０】
2018075354.tif 000012
【図１１】
2018075354.tif 000013
【図１２】
2018075354.tif 000014
【図１３】
2018075354.tif 000015
【図１４】
2018075354.tif 000016
【図１５】
2018075354.tif 000017
【図１６】
2018075354.tif 000018
【図１７】
2018075354.tif 000019
【図１８】
2018075354.tif 000020
【図１９】
2018075354.tif 000021
【図２０】
2018075354.tif 000022
【図２１】
2018075354.tif 000023
【図２２】
2018075354.tif 000024
【図２３】
2018075354.tif 000025
【図２４】
2018075354.tif 000026
【図２５】
2018075354.tif 000027
【図２６】
2018075354.tif 000028